(57)【要約】【課題】狭額縁化に対応しつつ、接着剤により構成された接着剤層の厚みの過剰な縮小に起因する不具合を防止できる液晶表示装置を提供する。【解決手段】構造物14は、液晶パネル12の表示側に固定されている。バックライト13は、導光板31及び筐体フレーム15を備え、液晶パネル12の背面側に面状光を照射する。導光板31は、液晶パネル12の背面側に対向配置されている。筐体フレーム15は、導光板31を支持する。筐体フレーム15は、対向部53及びスペーサ部54を備える。対向部53は、構造物14の外縁部の背面側の少なくとも一部に対向する位置に設けられている。スペーサ部54は、対向部53から構造物14の背面側に向けて突設されている。接着剤層44は、筐体フレーム15の対向部53の一部及びスペーサ部54と構造物14の背面側とを接着固定する接着剤43により構成されている。【選択図】図１
2014178552.tif 000002
【特許請求の範囲】
【請求項１】
液晶表示素子と、
この液晶表示素子の表示側に固定された構造物と、
前記液晶表示素子の背面側に対向配置された導光体、及び、この導光体を支持する支持フレームを備え、前記液晶表示素子の背面側に面状光を照射するバックライトと、
前記構造物の外縁部の背面側に対向する位置に設けられた対向部、及び、この対向部から前記構造物の背面に向けて突設されたスペーサ部を備え、前記バックライトの前記支持フレームと一体的に設けられた筐体フレームと、
この筐体フレームの前記対向部の一部及び前記スペーサ部と前記構造物の背面側とを接着固定する接着剤により構成された接着剤層と
を具備したことを特徴とする液晶表示装置。
【請求項２】
前記構造物は、四角形状に形成され、
前記対向部及び前記スペーサ部は、前記構造物の四辺のそれぞれに対応する位置に設けられている
ことを特徴とする請求項１記載の液晶表示装置。
【請求項３】
前記スペーサ部は、前記対向部の内縁部寄りに設けられている
ことを特徴とする請求項１記載の液晶表示装置。
【発明の詳細な説明】
【技術分野】
【０００１】
本発明の実施形態は、筐体フレームと構造物の背面側とを接着固定する接着剤により構成された接着剤層を備えた液晶表示装置に関する。
【背景技術】
【０００２】
近年、発達を続けている携帯型端末である携帯電話の市場においては、画面サイズが従来の携帯電話サイズからスマートフォンサイズ、タブレットサイズと、より大きくなっていく傾向がある。一方、筐体が同じサイズでも画面をより大きく、高精細にする要求があり、最外縁から画面表示エリア(アクティブエリア)までの距離を短くする、いわゆる狭額縁設計がなされている。
【０００３】
このような狭額縁設計の一環として、バックライトのフレームと筐体とを一体化し、このフレームと液晶パネル側とが接着剤を介して固定されている液晶表示装置があるが、このフレームと液晶パネル側とを接着する接着剤により構成される接着剤層の厚みを制御することが容易でない。すなわち、これらを組み合わせる際に荷重を掛けすぎると、接着剤が大きく押し広げられ、液晶表示装置の内部や外部にはみ出すことがある。また、液晶表示装置そのものの厚みの管理が容易でないとともに、内部のバックライトの光学シートが過剰に圧迫されるおそれがある。
【先行技術文献】
【特許文献】
【０００４】
【特許文献１】特開２０１０−２３７４９３号公報
【発明の概要】
【発明が解決しようとする課題】
【０００５】
本発明が解決しようとする課題は、狭額縁化に対応しつつ、接着剤により構成された接着剤層の厚みの過剰な縮小に起因する不具合を防止できる液晶表示装置を提供することである。
【課題を解決するための手段】
【０００６】
実施形態の液晶表示装置は、液晶表示素子と、構造物と、バックライトと、筐体フレームと、接着剤層とを有する。構造物は、液晶表示素子の表示側に固定されている。バックライトは、導光体及び支持フレームを備え、液晶表示素子の背面側に面状光を照射する。導光体は、液晶表示素子の背面側に対向配置されている。支持フレームは、導光体を支持する。筐体フレームは、対向部及びスペーサ部を備え、バックライトの支持フレームと一体的に設けられている。対向部は、構造物の外縁部の背面側に対向する位置に設けられている。スペーサ部は、対向部から構造物の背面に向けて突設されている。接着剤層は、筐体フレームの対向部の一部及びスペーサ部と構造物の背面側とを接着固定する接着剤により構成されている。
【図面の簡単な説明】
【０００７】
【図１】一実施形態の液晶表示装置の一部を示す断面図である。
【図２】同上液晶表示装置の液晶表示素子の平面図である。
【図３】従来例の液晶表示装置の一部を示す断面図である。
【発明を実施するための形態】
【０００８】
以下、一実施形態の構成を、図面を参照して説明する。
【０００９】
図１及び図２において、11は液晶表示装置を示し、この液晶表示装置11は、例えば携帯電話などの携帯型端末に用いられるものである。そして、この液晶表示装置11は、液晶表示素子としての液晶パネル12と、この液晶パネル12の背面側に配置されたバックライト13と、液晶パネル12の表示側に配置された構造物14と、セット筐体である筐体フレーム15とを備えて構成され、例えば平面視で四角形状をなしている。なお、以下、液晶パネル12の表示側(図１中の上側)を前側、その反対側(図１中の下側)を背面側すなわち後側として説明する。
【００１０】
液晶パネル12は、バックライト13からの面状光を透過させて画像を表示する透過型、あるいはバックライト13からの面状光を透過させる透過部と前側からの入射光を反射させる反射部とを備えた半透過型で、かつ、アクティブマトリクス型のものである。そして、この液晶パネル12は、四角形状の基板としてのアレイ基板21と、四角形状の基板としての対向基板22とが、アレイ基板21を前側として所定の隙間(セルギャップ)を介して互いに対向配置され、これら基板21，22間に液晶層23、及び、基板21，22間の隙間を保持する図示しないスペーサが介在されてこれら基板21，22が互いに貼り合わせられ、かつ、アレイ基板21の後側と対向基板22の前側とに偏光板24と偏光板25とが取り付けられて構成され、複数の画素がマトリクス状に配置されて画像を表示可能なアクティブエリアすなわち表示領域26が四角形状に形成されている。
【００１１】
アレイ基板21は、ガラス基板、このガラス基板上の表示領域26に対応する位置に格子状に形成された複数の配線部、ガラス基板上に形成され表示領域26に画素を構成する画素電極、これら画素電極をそれぞれ駆動するスイッチング素子である薄膜トランジスタ(ＴＦＴ)などを有している。また、このアレイ基板21には、各薄膜トランジスタを駆動するための駆動回路27が表示領域26の外方に形成された駆動領域28に実装されて配線部などと電気的に接続されている。なお、この駆動回路27は、例えばガラス基板上に直接実装してもよいし、別体のフレキシブル基板などに実装した状態でこのフレキシブル基板などをガラス基板に対して電気的に接続してもよい。
【００１２】
対向基板22は、ガラス基板、このガラス基板上に形成された共通電極である対向電極及びカラーフィルタ層などを有している。なお、共通電極は、液晶層23のモードによってはアレイ基板21側に形成してもよい。また、カラーフィルタ層は、アレイ基板21側に形成してもよい。
【００１３】
液晶層23としては、例えばＴＮモード、ＳＴＮモード、ＶＡ(ＭＶＡ)モード、ＩＰＳモードなどの各種モードを用いることができる。
【００１４】
偏光板24，25は、シート状に形成された光学部材(偏光シート)であり、液晶層23のモードに応じて、所定の偏光成分を選択的に透過・遮断するように配置されている。
【００１５】
バックライト13は、図示しない光源と、この光源からの光を面状光に変換する導光体としての四角形板状の導光板31と、この導光板31を支持する筐体フレーム15と、導光板31の前側に重ねて配置された光学シートとしての拡散シート33及び(一方及び他方の)プリズムシート34，35と、導光板31の後側に重ねて配置された反射シート36とを備え、液晶パネル12の後側に対して面状光を照射する。そして、このバックライト13は、導光板31の後側の反射シート36が筐体フレーム15に一体的に取り付けられている。すなわち、本実施形態において、筐体フレーム15はバックライト13の支持フレームである。換言すれば、筐体フレーム15は、支持フレームと一体に設けられている。
【００１６】
光源は、例えば発光ダイオード(ＬＥＤ)などが用いられており、導光板31の一側に対向して配置されている。
【００１７】
導光板31は、液晶パネル12の後側に対向配置されており、少なくとも液晶パネル12の表示領域26全体に対応する領域に面状光を照射できるように、外端部がこの表示領域26及び液晶パネル12の外端部よりも外方に延びて、表示領域26及び液晶パネル12よりも広い面積を有している。
【００１８】
拡散シート33は、導光板31から前側に出射した光を拡散するものである。
【００１９】
プリズムシート34，35は、拡散シート33により拡散された光を集光するものである。
【００２０】
反射シート36は、導光板31の後側から出射しようとする光を反射させて導光板31の前側から出射させるものである。
【００２１】
これらシート33，34，35，36は、それぞれ液晶パネル12の表示領域26及び液晶パネル12の外端部よりも外方まで外端部が延びて形成されており、表示領域26及び液晶パネル12よりも広い面積を有している。
【００２２】
構造物14は、ユーザが液晶パネル12に直接触れることがないように液晶パネル12を保護する化粧板(カバーガラス)や、ユーザが液晶パネル12の表示領域26に表示された画像などに基づいてタッチ操作入力するための例えば静電容量式、あるいは抵抗膜式のタッチパネル(センサ一体型カバーガラス)などであり、液晶パネル12及びバックライト13(導光板31)よりも外端部が外方に延びる、四角形の板状に形成されている。そして、この構造物14は、例えば透光性を有する紫外線(ＵＶ)硬化樹脂などの合成樹脂で形成された接着部41により、液晶パネル12の少なくとも表示領域26全体を覆う領域でこの液晶パネル12に対して接着固定されているとともに、この接着部41よりも外方の外端部の位置で、液状の接着剤43の硬化により構成された接着剤層44によって筐体フレーム15に対して接着固定されている。
【００２３】
筐体フレーム15は、例えば合成樹脂、あるいは金属などにより一体形成されており、四角形枠状の筐体フレーム本体部51と、この筐体フレーム本体部51の前端から前方に向けて壁状に突設された囲み部52と、この囲み部52の内方にて筐体フレーム本体部51から突設された対向部53と、この対向部53から構造物14の背面(後部)に向けて前方に突設されたスペーサ部54とを備えている。
【００２４】
筐体フレーム本体部51は、本実施形態では、バックライト13を支持する支持フレーム部であり、後部の内縁部に反射シート36が固定されている。
【００２５】
囲み部52は、四角形枠状に形成され、液晶パネル12及び構造物14の外端部全体を囲み、かつ、構造物14の外端部(外縁部)に対して所定の間隙Ｇを介して離間されている。
【００２６】
対向部53は、構造物14の外端部を支持するものであり、接着剤層44が前側の一部、すなわち、囲み部52の内方に対して離間された位置からスペーサ部54の間に亘って形成されて、この接着剤層44を介して構造物14の外端部と接着されている。さらに、この対向部53は、筐体フレーム本体部51の内縁部全体から内方へと庇状に突出している。すなわち、この対向部53は、構造物14の四辺の外端部(外縁部)の全体に対応して位置し、構造物14の四辺のそれぞれの背面側の位置に沿って長手状に延び、かつ、本実施形態においては、例えば構造物14の四隅に対応する位置でそれぞれ連続する、四角形枠状となっている。また、この対向部53の後側には、前側に位置するプリズムシート35の外端部及びバックライト13の導光板31の外端部がそれぞれ位置している。したがって、この対向部53は、前側に位置するプリズムシート35の外端部及びバックライト13の導光板31の外端部を覆っている。
【００２７】
スペーサ部54は、接着剤層44の厚みを設定制御するものであり、対向部53の内縁部寄り、すなわち囲み部52に対して離間された位置で、かつ、筐体フレーム本体部51の内縁よりも内方の位置にリブ状(壁状)に突設されている。このスペーサ部54は、構造物14の四辺の外端部(外縁部)の全体に対応して位置し、構造物14の四辺のそれぞれの外端部の背面側の位置に沿って長手状に延び、かつ、本実施形態においては、例えば構造物14の四隅に対応する位置でそれぞれ連続する、四角形枠状となっている。また、このスペーサ部54の前端部には、接着剤層44(接着剤43)の一部が構造物14の背面との間に僅かに介在されている。なお、このスペーサ部54の厚み(対向部53からの突出量)は、液晶パネル12及び構造物14の厚みに応じて適宜設定されるが、例えば筐体フレーム本体部51からの囲み部52の突出量と構造物14の厚みとの差以下となっている。
【００２８】
次に、上記一実施形態の作用を説明する。
【００２９】
液晶表示装置11を組み立てる際には、まず、液晶パネル12及びバックライト13を、それぞれ適宜組み立てる。液晶パネル12は、それぞれ別個に形成した基板21，22間に液晶層23を介在させてこれら基板21，22を互いに貼り合わせ、駆動回路27を実装する。
【００３０】
次いで、この液晶パネル12に対して、構造物14を接着部41にて貼り合わせて固定する。
【００３１】
一方、バックライト13は、導光板31にシート33，34，35を重ね、反射シート36とともに筐体フレーム15の筐体フレーム本体部51に貼り付けてこの筐体フレーム15により支持する。
【００３２】
そして、構造物14を貼り合わせた液晶パネル12とバックライト13とを、接着剤層44により貼り合わせる。このとき、まず、液状の接着剤43を筐体フレーム15の対向部53及びスペーサ部54のそれぞれの前部に塗布し、構造物14を液晶パネル12とともに囲み部52の内方に間隙Ｇを介して嵌合させるように取り付け、前側から押し圧荷重Ｆを加える。この結果、構造物14の背面が(僅かな接着剤43を介して)スペーサ部54の前端に突き当たることで、構造物14及び液晶パネル12とバックライト13との位置が設定される。すなわち、スペーサ部54の対向部53からの突出量と略同等の厚みとなるように接着剤43が押圧される。また、対向部53の前部に塗布した接着剤43は、スペーサ部54によって堰き止められ、このスペーサ部54よりも内方への移動が規制される。そして、この接着剤43を硬化させることで、構造物14を貼り合わせた液晶パネル12とバックライト13とが、スペーサ部54の厚み分(対向部53からの突出量分)のクリアランスをもって互いに固定され、液晶表示装置11が完成する。この状態で、構造物14の前面は、例えば筐体フレーム15の囲み部52の前端部と略面一となっている。
【００３３】
そして、このように完成した液晶表示装置11は、電源に接続されると、光源からの光を導光板31により面状光に変換した後、この面状光を、拡散シート33及びプリズムシート34，35を介して液晶パネル12の後側に照射する。
【００３４】
液晶パネル12では、表示する画像に対応して画素が駆動されて偏光板25を介して入射した面状光の偏光方向が変換され、偏光板24を透過する光の量(透過量)が画素毎に設定されることで、構造物14を通過した光が画像としてユーザに視認される。
【００３５】
以上説明した一実施形態によれば、バックライト13の導光板31などを支持する支持フレームを筐体フレーム15と一体化するとともに、この筐体フレーム15に、構造物14の外縁部の背面側に対向する対向部53、及び、この対向部53から構造物14の背面に向けて突出するスペーサ部54を設けることで、これら対向部53の一部及びスペーサ部54と構造物14の背面側とを接着剤43によって接着固定する際に、構造物14の背面がスペーサ部54と突き当たって、構造物14を含む液晶パネル12とバックライト13とが互いに定位置で固定される。したがって、図３に示す従来例のように、接着固定時の押し圧荷重Ｆによって接着剤43が過剰に大きく押し広げられて対向部53の内方、あるいは間隙Ｇから構造物14の前方に接着剤43(接着剤層44)がはみ出したりすることを防止して、接着剤層44の厚みを所定値に制御できる。この結果、狭額縁化に対応しつつ、接着剤43(接着剤層44)の過剰なはみ出しにより見栄えが低下したり、接着剤層44の厚みが過剰に小さくなって前側のプリズムシート35及び後側の偏光板24が互いに過剰に強く接触して圧迫しあって表示品位を低下させたりするなどの、接着固定時の押し圧荷重Ｆによる接着剤層44の厚みの過剰な縮小に起因する不具合を防止できるとともに、液晶表示装置11そのものの厚みを精度よく管理できる。なお、図３において、本実施形態と共通または類似する各部には同一の符号を付している。
【００３６】
また、スペーサ部54が対向部53から構造物14側へと突出しているため、対向部53に塗布された接着剤43が押し圧荷重Ｆによって対向部53の内方へと押し広げられることをスペーサ部54によって堰き止めることができ、対向部53の内方への接着剤43(接着剤層44)の過剰なはみ出しをより確実に防止できる。
【００３７】
さらに、スペーサ部54を対向部53の内縁部寄りの位置に設けることで、囲み部52とスペーサ部54との間に接着剤層44のスペースを大きく確保でき、間隙Ｇを介して接着剤43(接着剤層44)の構造物14の前方への過剰なはみ出しをより確実に防止できる。
【００３８】
また、構造物14を四角形状とするとともに、スペーサ部54を構造物14の四辺に対応する位置にそれぞれ設けることで、接着剤層44の厚みをより安定的に制御できる。
【００３９】
さらに、最前部に位置するプリズムシート35を他のシート33，34よりも拡大してその外端部を表示領域26の縁部から外方へと、液晶パネル12の外端部よりも外方まで遠ざけて筐体フレーム15(対向部53)により覆うことで、表示領域26の外方を狭くして狭額縁化を図っても、シート33，34，35の外端部が表示側から視認されにくく、いわゆる端見えを効果的に抑制できる。
【００４０】
なお、上記一実施形態において、支持フレームと筐体フレームとを別体で形成し、支持フレームを筐体フレームに対して一体的に接続固定した構成としてもよい。
【００４１】
また、対向部53及びスペーサ部54は、接着剤43を塗布する領域や面積に対応してその形状を適宜設定できる。
【００４２】
さらに、液晶表示装置11は、四角形状に限定されず、例えば円形状などでもよい。この場合には、各種構成部品を円形状にすることで対応できる。
【００４３】
本発明の一実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００４４】
11    液晶表示装置
12    液晶表示素子としての液晶パネル
13    バックライト
14    構造物
15    支持フレームである筐体フレーム
31    導光体としての導光板
43    接着剤
44    接着剤層
53    対向部
54    スペーサ部
【図１】
2014178552.tif 000003
【図２】
2014178552.tif 000004
【図３】
2014178552.tif 000005